(57)【特許請求の範囲】
【請求項１】
原稿を光学的に読み取り電子画像データに変換する走査装置と該走査装置から受信された画像データを記録媒体上に印刷する印刷装置とを有する画像処理システムにおいて、
上記走査装置及び印刷装置が、それぞれ、画像データを所定の仕様で処理する画像処理回路を有しており、
上記両装置の少なくとも一方において、上記画像処理回路が、与えられた回路構成情報に基づき画像データの処理仕様について設定可能であり、該画像処理回路が、他方の装置における画像処理回路の仕様情報に応じて、上記画像データの処理仕様について設定されるようになっており、
上記他方の装置の変更に際して、新規の装置の仕様情報に対応した回路構成情報と、前回の画像処理回路における画像データの処理仕様の設定に用いられた回路構成情報とを比較し、これらの回路構成情報が同一である場合に、上記画像処理回路における画像データの処理仕様の設定を改めて行わず、また、一方、回路構成情報が同一でない場合には、上記新規の装置の仕様情報に対応した回路構成情報に基づく画像データの処理仕様の設定を行うようにしたことを特徴とする画像処理システム。
【発明の詳細な説明】
【０００１】
【発明の属する技術分野】
本発明は、画像データを所定の仕様で処理する画像処理回路がそれぞれ組み込まれる走査装置及び印刷装置を有する画像処理システムに関する。
【０００２】
【従来の技術】
昨今の情報処理技術の進歩に伴ない、近年では、多くの製造業者により様々な画像処理システムが市販され、各種の画像処理システムが一般に普及するようになった。このような画像処理システムとして、例えば、原稿を光学的に読み取り電子画像データに変換するスキャナや受信された画像データを記録媒体上に印刷するプリンタがよく知られている。これらスキャナ及びプリンタは、一般的には、パーソナルコンピュータへ個々に接続されて、若しくは、互いに接続されて使用され、前者の場合、両機器はパーソナルコンピュータを通じて画像データを伝送し、また、一方、後者の場合には、直接に画像データを伝送する。
特に、スキャナとプリンタとが互いに接続されて複写処理を行う画像処理システムを構成する後者の場合、通常、上記各機器には所定の画像処理回路がそれぞれ組み込まれ、画像データは、各機器の画像処理回路において処理されつつ両機器間で伝送されるようになっている。
【０００３】
ところで、このような画像処理システムでは、通常、スキャナ及びプリンタが、それぞれ、解像度，カラー／モノクロ，階調数に関して固有の仕様を有しており、各機器においては、その仕様に基づき画像データが処理されるようになっている。このとき、画像データが各機器における画像処理回路により逐次処理され、所望の品質を備えたコピーが作成されるには、画像データが両機器の画像処理回路において同一の仕様で処理される必要がある。このため、固有の仕様を有するスキャナ及びプリンタでは、互いに同一の仕様を有するもの同士を接続することになる。
このように、スキャナ及びプリンタが共に固有の仕様を有する場合には、接続される他の機器との対応性について乏しく、例えば、プリンタを仕様の異なるものに買い換える場合には、スキャナについてもそれと同じ仕様を有するものに買い換える必要が生じて来る。これは、顧客のコスト面における負担を重くする要因であった。
【０００４】
かかる問題に応じて、例えば全ての組合せに対応するように各種の画像処理回路を予め搭載し、これらを切り換えることにより、従来の構成でも異なる仕様を有する機器同士の接続は可能である。しかし、この場合には、複数の画像処理回路を設ける必要があり、このため、回路規模が増大し、コストアップを招来する惧れがある。また、この場合には、更に別の仕様を有する新規の装置に対応不可能であるという問題があった。
【０００５】
【発明が解決しようとする課題】
これに関連して、互いに仕様の異なる走査装置及び印刷装置が接続されてなる複写処理用の画像処理システムを考える。この画像処理システムでは、走査装置及び印刷装置の少なくとも一方において、それに組み込まれる画像処理回路の一部に、プログラム可能な論理モジュールを規則的に並べ、その間に配線領域を用意して、論理モジュールと配線領域をプログラムに応じて接続することで所望の論理を実現するデバイスが使用される。かかる画像処理回路は、与えられた回路構成情報に基づき画像データの処理仕様について設定可能であり、この画像処理回路が、他方の装置における画像処理回路の仕様情報に応じて、それと同じ処理仕様を有するように設定されることにより、仕様の異なる走査装置及び印刷装置を互いに接続させて複写処理を行うことができる。
【０００６】
前述した画像処理システムでは、与えられた回路構成情報に基づき画像データの処理仕様について設定可能な画像処理回路が組み込まれた装置と接続される他方の装置を変更した場合に、該画像処理回路に対して、新規の装置の仕様情報に対応する回路構成情報が転送されるようになっている。このため、前回と等しい仕様が要求される場合にも、上記画像処理回路に対して前回と同一の回路構成情報を転送する必要がある。上記画像処理回路は、再度転送されてきた回路構成情報に基づき、前回と同じ回路を設定することになる。すなわち、この場合には、回路構成情報の転送時間と回路構成情報に基づく回路の設定時間の双方が必要となり、他方の装置の変更前後で異なる仕様が要求される場合と同等に、装置の立上り時間が長くなる。
【０００７】
そこで、本発明は、上記技術的課題に鑑みてなされたもので、画像データの処理仕様について設定可能な画像処理回路が組み込まれた装置と接続される他方の装置を変更するに際して、装置の平均的な立上り時間を短縮し得る画像処理システムを提供することを目的としてなされたものである。
【０００８】
【課題を解決するための手段】
本願の請求項１に係る発明は、原稿を光学的に読み取り電子画像データに変換する走査装置と該走査装置から受信された画像データを記録媒体上に印刷する印刷装置とを有する画像処理システムにおいて、上記走査装置及び印刷装置が、それぞれ、画像データを所定の仕様で処理する画像処理回路を有しており、上記両装置の少なくとも一方において、上記画像処理回路が、与えられた回路構成情報に基づき画像データの処理仕様について設定可能であり、該画像処理回路が、他方の装置における画像処理回路の仕様情報に応じて、上記画像データの処理仕様について設定されるようになっており、上記他方の装置の変更に際して、新規の装置の仕様情報に対応した回路構成情報と、前回の画像処理回路における画像データの処理仕様の設定に用いられた回路構成情報とを比較し、これらの回路構成情報が同一である場合に、上記画像処理回路における画像データの処理仕様の設定を改めて行わず、また、一方、回路構成情報が同一でない場合には、上記新規の装置の仕様情報に対応した回路構成情報に基づく画像データの処理仕様の設定を行うようにしたことを特徴としたものである。
【０００９】
【発明の実施の形態】
以下、本発明の実施の形態について、添付図面を参照しながら説明する。
実施の形態１．
図１に、本発明の実施の形態１に係る画像処理システムの構成を示す。この画像処理システム１０は、原稿を光学式に読み取り電子画像データに変換するスキャナ３と、該スキャナ３から受信された画像データを記録媒体上に印刷するプリンタ１１とを有しており、これらスキャナ３及びプリンタ１１は互いに接続され、各種の情報を送受信しつつ、共働して複写処理を行う。
基本的な構成として、上記スキャナ３は、原稿を読み取り電子画像データに変換するＣＣＤ４と、スキャナ３の出力側近傍に設けられ、ＣＣＤ４により得られた画像データを処理した上で出力する画像処理回路５と、スキャナ３内の各部の動作を制御するＣＰＵ６と、スキャナ用回路データファイル７とを有している。他方、上記プリンタ１１は、その入力側近傍に設けられ、上記スキャナ３から受信した画像データを処理する画像処理回路１２と、画像データを用紙上に現像し印刷するレーザ１３（図中のＬＤ）と、プリンタ１１内の各部の動作を制御するＣＰＵ１４とを有している。
【００１０】
上記スキャナ３とプリンタ１１との間では、複写処理に際して、図１に示すように、スキャナ３側の画像処理回路５からプリンタ１１側の画像処理回路１２へ画像データが直接に供給され、また、スキャナ３側のＣＰＵ６及びプリンタ１１側のＣＰＵ１４が、他方の機器の種類や動作状態を識別するように、互いに通信し合う。このとき、上記各画像処理回路５及び１２では、それぞれ、例えば解像度，カラー／モノクロ，階調数について所定の仕様に基づき画像データが処理されるようになっており、前述したように、画像データが各画像処理回路５及び１２により逐次処理されるためには、画像処理回路５及び１２において同一の仕様に基づきデータ処理が行われる必要がある。
【００１１】
この必要に応じて、上記画像処理システム１０では、スキャナ３内に組み込まれる画像処理回路５として、与えられた回路構成情報に基づき画像データの処理仕様について設定可能なものが用いられている。この実施の形態では、かかる画像処理回路の一部に、従来知られている書込み可能ゲート・アレイ５ａ（所謂、ＦＰＧＡ（Field Programmable gatearray））を用いるようにした。尚、このＦＰＧＡ自体は従来より公知の技術であるので、本件では、詳細な回路構成等の説明については省略する。このＦＰＧＡ５ａによれば、プログラム可能な論理モジュールを規則的に並べ、その間に配線領域を用意して、論理モジュールと配線領域をプログラムに応じて接続することで所望の論理を実現することができ、これにより、与えられた各種のプログラムに基づき、画像データを様々な仕様で処理することが可能である。
また、更に、この実施の形態では、スキャナ３内に、上記画像処理回路５に付与されるプログラム、つまり回路構成情報（以下、回路データという）を複数保存する回路データファイル７が設けられている。
【００１２】
かかる構成を備えた画像処理システム１０では、複写処理に際して、スキャナ３側の画像処理回路５の仕様が、次のように設定される。
まず、上記スキャナ３とプリンタ１１とが互いに接続された状態で、両者に組み込まれたＣＰＵ６とＣＰＵ１４との間との通信により、プリンタ１１側の画像処理回路１２で採用される仕様が識別される。スキャナ３では、識別された仕様に対応する回路データが、上記回路データファイル７から選択され、ＣＰＵ６を経由して上記画像処理回路５へ送られる。上記ＣＰＵ６と画像処理回路５とは、図２に示すように、ＣＰＵバス９を介して互いに接続されており、回路データファイル７から選択された回路データは、上記ＣＰＵ６を経由した後、上記ＣＰＵバス９を通じて画像処理回路５へ送られる。画像処理回路５では、上記回路データファイル７から選択された回路データに基づき、ＦＰＧＡ５ａの論理モジュールと配線領域とが接続されて、画像データの処理仕様が設定される。
【００１３】
このように、プリンタ１１の仕様情報に応じて、スキャナ３における画像処理回路５が画像データの処理仕様について設定されることにより、画像処理回路５は、プリンタ１１側の画像処理回路１２の仕様と同一の仕様で画像データを処理することが可能となる。
【００１４】
かかる画像処理回路５の仕様の設定は、上記画像処理システム１０において、スキャナ３又はプリンタ１１への電源投入時やスキャナ３に接続されるプリンタ１１の変更時に必然的に行われるようになっている。例えばプリンタ１１を変更する場合、新規のプリンタ１１がスキャナ３に接続されると、即座に、プリンタ１１側の画像処理回路１２の仕様情報が識別され、続いて、この仕様情報に対応した回路データが回路データファイル７から選択され、スキャナ３側のＣＰＵ６へ送られる。この実施の形態では、スキャナ３側のＣＰＵ６において、新規のプリンタ１１の仕様情報に対応した回路データと、旧プリンタ１１の仕様情報に対応した回路データ、すなわち前回のスキャナ３側の画像処理回路５における仕様の設定に用いられた回路データとが比較される。その結果、これらの回路データが同一である場合には、画像処理回路５における仕様の設定を改めて行わないようにする。
なお、かかるプリンタ１１の変更の間に、スキャナ３に対する電源はオン状態に維持されており、この間に、画像処理回路５において設定されている仕様は保持される。
【００１５】
図３は、上記画像処理システム１０における、プリンタ１１の変更時における画像処理回路の仕様の設定についてのフローチャートである。
新規のプリンタ１１が接続されると、まず、その仕様情報が識別され、該仕様情報に対応した回路データが回路データファイル７からＣＰＵ６へ送られて受信される（♯２１）。次に、ＣＰＵ６は、新たに受信した回路データと、前回のスキャナ３側の画像処理回路５における仕様の設定に用いられた回路データとを比較する（♯２２）。その結果、両者が不一致である場合には、新たに受信した回路データが画像処理回路５に送られ、その回路データに基づき、画像処理回路５は、画像データの処理仕様について設定される（♯２３）。また、一方、♯２２において、両者が一致する場合には、新たに受信した回路データを破棄し、処理が継続される（♯２４）。
【００１６】
このように、上記画像処理システム１０では、プリンタ１１の変更に際して、新規のプリンタ１１が前回と同一の仕様を有すると判断される場合、スキャナ３において、画像処理回路５の仕様の設定を改めて行わないようにすることにより、新規のプリンタ１１への変更時に要する仕様の設定時間、すなわち装置の停止時間を短縮することができる。
【００１７】
以下、本発明の他の実施の形態について説明する。尚、以下の説明では、前述した実施の形態１における場合と同一のものについては同じ符号を付し、それ以上の説明は省略する。
実施の形態２．
図４は、本発明の実施の形態２に係る画像処理システムの構成を示す説明図である。この画像処理システム２０は、前述した実施の形態１の場合と同じ構成を有するもので、この実施の形態２では、上記スキャナ２２側の画像処理回路５に付与される回路データを複数保存する回路データファイル３７が、プリンタ３１側に設けられる。
【００１８】
この画像処理システム２０では、プリンタの変更に際して、スキャナ２２側の画像処理回路５の仕様が、次のように設定される。
新規のプリンタ３１が接続されると、まず、上記スキャナ２３とプリンタ３１とが互いに接続された状態で、両者に組み込まれたＣＰＵ２６とＣＰＵ３４との間の通信により、プリンタ３１側の画像処理回路１２の仕様が識別される。スキャナ２２では、識別された仕様に対応する回路データがプリンタ３１内に設けられた回路データファイル３７から選択される。選択された回路データは、プリンタ３１側のＣＰＵ３４を経由して、スキャナ２２側のＣＰＵ２６へ送られ受信される。
【００１９】
続いて、上記スキャナ２２側のＣＰＵ２６では、新規のプリンタ３１の仕様情報に対応した回路データと、前回の画像処理回路５における仕様の設定に用いられた回路データとが比較される。その結果、これらの回路データが不一致である場合には、新規のプリンタ３１の仕様情報に対応した回路データが、スキャナ２２側の画像処理回路５に送られる。該画像処理回路５では、上記回路データファイル３７から転送された回路データに基づき、ＦＰＧＡ５ａの論理モジュールと配線領域とが接続されて、新規のプリンタ３１側の画像処理回路１２の仕様と同一の画像データの処理仕様が設定される。
また、一方、上記スキャナ２２側のＣＰＵ２６により回路データが比較された結果、回路データが同一である場合には、新規の回路データが破棄され、前回の画像処理回路５における仕様の設定に基づいて画像データの処理が継続される。
【００２０】
このように、上記画像処理システム２０では、プリンタの変更に際して、新規のプリンタ３１が前回と同一の仕様を有すると判断される場合、スキャナ２２において、画像処理回路５の仕様の設定を改めて行わないようにすることにより、新規のプリンタ３１への変更時に要する仕様の設定時間、すなわち装置の停止時間を短縮することができる。
【００２１】
実施の形態３．
図５は、本発明の実施の形態３に係る画像処理システムの構成を示す説明図である。前述した実施の形態では、与えられた回路データに基づき画像データの処理仕様について設定可能な画像処理回路が、スキャナ側に組み込まれていた。この実施の形態３では、かかる画像処理回路５２が、プリンタ５１側に組み込まれており、スキャナ４２側の画像処理回路４５の仕様に応じて、プリンタ５１側の画像処理回路５２の仕様が設定されるようになっている。
【００２２】
この画像処理システム４０では、スキャナの変更に際して、プリンタ５１側の画像処理回路５２の仕様が、次のように設定される。
新規のスキャナ４２が接続されると、まず、上記スキャナ４２とプリンタ５１とが互いに接続された状態で、両者に組み込まれたＣＰＵ４６とＣＰＵ５４との間の通信により、スキャナ４２側の画像処理回路４５で採用される仕様が識別される。プリンタ５１では、識別された仕様に対応する回路データがスキャナ４２内に設けられた回路データファイル４７から選択される。選択された回路データは、スキャナ４２側のＣＰＵ４６を経由して、プリンタ５１側のＣＰＵ５４へ送られ受信される。
【００２３】
続いて、プリンタ５１側のＣＰＵ５４では、新規のスキャナ４２の仕様情報に対応した回路データと、前回の画像処理回路５２における仕様の設定に用いられた回路データとが比較される。その結果、これらの回路データが不一致である場合には、新規のスキャナ４２の仕様情報に対応した回路データが、プリンタ５１側の画像処理回路５２へ送られる。該画像処理回路５２では、上記回路データファイル３７から転送された回路データに基づき、ＦＰＧＡ５２ａの論理モジュールと配線領域とが接続されて、新規のスキャナ４２側の画像処理回路４５の仕様と同一の画像データの処理仕様が設定される。
また、一方、上記プリンタ５１側のＣＰＵ５４により回路データが比較された結果、回路データが同一である場合には、新規の回路データが破棄され、前回の画像処理回路５２における仕様の設定に基づいて画像データの処理が継続される。
【００２４】
このように、上記画像処理システム４０では、スキャナの変更に際して、新規のスキャナ４２が前回と同一の仕様を有すると判断される場合、プリンタ５１において、画像処理回路５２の仕様の設定を改めて行わないようにすることにより、新規のスキャナ４２への変更時に要する仕様の設定時間、すなわち装置の停止時間を短縮することができる。
【００２５】
実施の形態４．
図６は、本発明の実施の形態４に係る画像処理システムの構成を示す説明図である。この画像処理システム６０は、前述した実施の形態３の場合と同じ構成を有するもので、この実施の形態４では、プリンタ７１側の画像処理回路５２に付与される回路データを複数保存する回路データファイル７７が、プリンタ７１側に設けられる。
【００２６】
この画像処理システム６０では、スキャナの変更に際して、プリンタ７１側の画像処理回路５２の仕様が、次のように設定される。
新規のスキャナ６２が接続されると、まず、上記スキャナ６２とプリンタ７１とが互いに接続された状態で、両者に組み込まれたＣＰＵ６６とＣＰＵ７４との間の通信により、スキャナ６２側の画像処理回路４５の仕様が識別される。プリンタ７１では、識別された仕様に対応する回路データが、プリンタ７１内に設けられた回路データファイル７７から選択される。選択された回路データは、上記プリンタ７１側のＣＰＵ７４へ送られ受信される。
【００２７】
続いて、上記プリンタ７１側のＣＰＵ７４では、新規のプリンタ７１の仕様情報に対応した回路データと、前回の画像処理回路５２における仕様の設定に用いられた回路データとが比較される。その結果、これらの回路データが不一致である場合には、新規のスキャナ６２の仕様情報に対応した回路データが、プリンタ７１側の画像処理回路５２に送られる。該画像処理回路５２では、上記回路データファイル７７から転送された回路データに基づき、ＦＰＧＡ５２ａの論理モジュールと配線領域とが接続されて、新規のスキャナ６２側の画像処理回路４５の仕様と同一の画像データの処理仕様が設定される。
また、一方、上記プリンタ７１側のＣＰＵ７４により回路データが比較された結果、回路データが同一である場合には、新規の回路データが破棄され、前回の画像処理回路５２における仕様の設定に基づいて画像データの処理が継続される。
【００２８】
このように、上記画像処理システム６０では、スキャナの変更に際して、新規のスキャナ６２が前回と同一の仕様を有すると判断される場合、プリンタ７１において、画像処理回路５２の仕様の設定を改めて行わないようにすることにより、新規のスキャナ６２への変更時に要する仕様の設定時間、すなわち装置の停止時間を短縮することができる。
【００２９】
実施の形態５．
図７は、本発明の実施の形態５に係る画像処理システムの構成を示す説明図である。
この画像処理システム８０は、スキャナとして、カラースキャナ８２Ａと解像度１２００ｄｐｉのモノクロスキャナ８２Ｂとを有し、また、一方、プリンタとして、カラープリンタ９１Ａと解像度１２００ｄｐｉのモノクロプリンタ９１Ｂと解像度６００ｄｐｉのモノクロプリンタ９１Ｃとを有している。上記スキャナ８２Ａ，８２Ｂは、それぞれ、所定の通信回線を介して、プリンタ９１Ａ，９１Ｂ及び９１Ｃと接続されており、スキャナ８２Ａ，８２Ｂ側に設けられたＣＰＵ８６Ａ，８６Ｂとプリンタ９１Ａ，９１Ｂ，９１Ｃ側に設けられたＣＰＵ９４Ａ，９４Ｂ，９４Ｃとの間では、通信が可能である。
【００３０】
この実施の形態では、上記スキャナ８２Ａ，８２Ｂ及びプリンタ９１Ａ，９１Ｂ及び９１Ｃの全てについて、それらに組み込まれる画像処理回路８５Ａ，８５Ｂ，９２Ａ，９２Ｂ，９２Ｃが、与えられた回路データに応じて画像データの処理仕様について設定可能である。また、これら各画像処理回路８５Ａ，８５Ｂ，９２Ａ，９２Ｂ，９２Ｃに送られる回路データを保存する手段としての回路データファイルが、上記モノクロスキャナ８２Ｂ内に設けられている。更に、この実施の形態では、プリンタ９１Ａ，９１Ｂ及び９１Ｃが、その画像データ入力側に、それぞれ、上記スキャナの種類に対応する数（ここでは２つ）の入力部を有しており、各画像処理回路９２Ａ，９２Ｂ，９２Ｃ毎に、スキャナ８２Ａ，８２Ｂからの画像データの入力に際して、必要な方が選択されるようになっている。
【００３１】
かかる構成を備えた画像処理システム８０では、スキャナ又はプリンタを変更するに際して、両者に組み込まれた画像処理回路の仕様が、以下のように設定される。
第一に、新規のスキャナ８２Ａ，８２Ｂ側の画像処理回路８５Ａ，８５Ｂの仕様に応じて、プリンタ９１Ａ，９１Ｂ，９１Ｃ側の画像処理回路９２Ａ，９２Ｂ，９２Ｃの仕様が設定される場合について考える。この場合には、新規のスキャナ８２Ａ，８２Ｂが接続されると、まず、スキャナ８２Ａ，８２Ｂ側のＣＰＵ８６Ａ，８６Ｂとプリンタ９１Ａ，９１Ｂ，９１Ｃ側のＣＰＵ９４Ａ，９４Ｂ，９４Ｃとの間の通信により、新規のスキャナ８２Ａ，８２Ｂ側の画像処理回路８５Ａ，８５Ｂの仕様が識別される。プリンタ９１Ａ，９１Ｂ，９１は、それぞれ、上記画像処理回路８５Ａ，８５Ｂのいずれか一方の仕様に応じ、上記通信回線を通じて、上記モノクロスキャナ８２Ｂ内に設けられた回路データファイル８７から回路データを選択する。選択された回路データは、モノクロスキャナ８２ＢのＣＰＵ８６Ｂを経由して、プリンタ９１Ａ，９１Ｂ，９１Ｃ側の各ＣＰＵ９４Ａ，９４Ｂ，９４Ｃへ送られ受信される。
【００３２】
続いて、上記プリンタ９１Ａ，９１Ｂ，９１Ｃ側のＣＰＵ９４Ａ，９４Ｂ，９４Ｃでは、新規のスキャナ８２Ａ，８２Ｂの仕様情報に対応した回路データと、前回の画像処理回路９２Ａ，９２Ｂ，９２Ｃにおける仕様の設定に用いられた回路データとが比較される。その結果、これらの回路データが不一致である場合には、新規のスキャナ８２Ａ，８２Ｂの仕様情報に対応した回路データが、プリンタ９１Ａ，９１Ｂ，９１Ｃ側の画像処理回路９２Ａ，９２Ｂ，９２Ｃに送られる。該画像処理回路９２Ａ，９２Ｂ，９２Ｃでは、それぞれ、上記回路データファイル８７から転送された回路データに基づき、各ＦＰＧＡ９２ａ，９２ｂ，９２ｃの論理モジュールと配線領域とが接続されて、新規のスキャナ８２Ａ，８２Ｂ側の画像処理回路８５Ａ，８５Ｂの仕様と同一の画像データの処理仕様が設定される。
また、一方、上記プリンタ９１Ａ，９１Ｂ，９１Ｃ側のＣＰＵ９４Ａ，９４Ｂ，９４Ｃにより回路データが比較された結果、回路データが同一である場合には、新規の回路データが破棄され、前回の画像処理回路９２Ａ，９２Ｂ，９２Ｃにおける仕様の設定に基づいて画像データの処理が継続される。
【００３３】
第二に、新規のプリンタ９１Ａ，９１Ｂ，９１Ｃ側の画像処理回路９２Ａ，９２Ｂ，９２Ｃの仕様に応じて、スキャナ８２Ａ，８２Ｂ側の画像処理回路８５Ａ，８５Ｂの仕様が設定される場合について考える。この場合には、まず、スキャナ８２Ａ，８２Ｂ側のＣＰＵ８６Ａ，８６Ｂとプリンタ９１Ａ，９１Ｂ，９１Ｃ側のＣＰＵ９４Ａ，９４Ｂ，９４Ｃとの間の通信により、新規のプリンタ９１Ａ，９１Ｂ，９１Ｃ側の画像処理回路９２Ａ，９２Ｂ，９２Ｃの仕様が識別される。スキャナ８２Ａ，８２Ｂは、それぞれ、それら画像処理回路９２Ａ，９２Ｂ，９２Ｃのいずれか一の仕様に応じ、上記モノクロスキャナ８２Ｂ内に設けられた回路データファイル８７から回路データを選択する。選択された回路データは、モノクロスキャナ８２Ｂ側のＣＰＵ８６Ｂへ、若しくは、このＣＰＵ８６Ｂを経由して、カラースキャナ８２Ａ側のＣＰＵ８６Ａへ送られ受信される。
【００３４】
続いて、上記スキャナ８２Ａ，８２Ｂ側のＣＰＵ８６Ａ，８６Ｂでは、新規のプリンタ９１Ａ，９１Ｂ，９１Ｃの仕様情報に対応した回路データと、前回の画像処理回路８５Ａ，８５Ｂにおける仕様の設定に用いられた回路データとが比較される。その結果、これらの回路データが不一致である場合には、新規のプリンタ９１Ａ，９１Ｂ，９１Ｃの仕様情報に対応した回路データが、スキャナ８２Ａ，８２Ｂ側の画像処理回路８５Ａ，８５Ｂに送られる。該画像処理回路８５Ａ，８５Ｂでは、それぞれ、上記回路データファイル８７から転送された回路データに基づき、各ＦＰＧＡ８５ａ，８５ｂの論理モジュールと配線領域とが接続されて、新規のプリンタ９１Ａ，９１Ｂ，９１Ｃ側の画像処理回路９２Ａ，９２Ｂ，９２Ｃの仕様と同一の画像データの処理仕様が設定される。
また、一方、上記スキャナ８２Ａ，８２Ｂ側のＣＰＵ８６Ａ，８６Ｂにより回路データが比較された結果、回路データが同一である場合には、新規の回路データが破棄され、前回の画像処理回路８５Ａ，８５Ｂにおける仕様の設定に基づいて画像データの処理が継続される。
【００３５】
このように、上記画像処理システム８０では、スキャナ又はプリンタの変更に際して、新規のスキャナ８２Ａ，８２Ｂ又はプリンタ９１Ａ，９１Ｂ，９１Ｃが前回と同一の仕様を有すると判断される場合、スキャナ８２Ａ，８２Ｂ又はプリンタ９１Ａ，９１Ｂ，９１Ｃにおいて、各画像処理回路８５Ａ，８５Ｂ又は９２Ａ，９２Ｂ，９２Ｃの仕様の設定を改めて行わないようにすることにより、新規のスキャナ８２Ａ，８２Ｂ又はプリンタ９１Ａ，９１Ｂ，９１Ｃへの変更時に要する仕様の設定時間、すなわち装置の停止時間を短縮することができる。
【００３６】
なお、本発明は、例示された実施の形態に限定されるものでなく、本発明の要旨を逸脱しない範囲において、種々の改良及び設計上の変更が可能であることは言うまでもない。
【００３７】
【発明の効果】
本願の発明によれば、原稿を光学的に読み取り電子画像データに変換する走査装置と該走査装置から受信された画像データを記録媒体上に印刷する印刷装置とを有する画像処理システムにおいて、上記走査装置及び印刷装置が、それぞれ、画像データを所定の仕様で処理する画像処理回路を有しており、上記両装置の少なくとも一方において、上記画像処理回路が、与えられた回路構成情報に基づき画像データの処理仕様について設定可能であり、該画像処理回路が、他方の装置における画像処理回路の仕様情報に応じて、上記画像データの処理仕様について設定されるようになっており、上記他方の装置の変更に際して、新規の装置の仕様情報に対応した回路構成情報と、前回の画像処理回路における画像データの処理仕様の設定に用いられた回路構成情報とを比較し、これらの回路構成情報が同一である場合に、上記画像処理回路における画像データの処理仕様の設定を改めて行わず、また、一方、回路構成情報が同一でない場合には、上記新規の装置の仕様情報に対応した回路構成情報に基づく画像データの処理仕様の設定を行うようにするので、新規の装置への変更時に要する仕様の平均的な設定時間、すなわち装置の平均的な停止時間を短縮することができる。
【図面の簡単な説明】
【図１】  本発明の実施の形態１に係る画像処理システムの構成を示す説明図である。
【図２】  上記画像処理システムのスキャナにおける画像処理回路（ＦＰＧＡ）のブロック図である。
【図３】  上記スキャナにおける回路データの比較処理についてのフローチャートである。
【図４】  本発明の実施の形態２に係る画像処理システムの構成を示す説明図である。
【図５】  本発明の実施の形態３に係る画像処理システムの構成を示す説明図である。
【図６】  本発明の実施の形態４に係る画像処理システムの構成を示す説明図である。
【図７】  本発明の実施の形態５に係る画像処理システムの構成を示す説明図である。
【符号の説明】
３…スキャナ
５…画像処理回路
５ａ…ＦＰＧＡ
６…スキャナ側のＣＰＵ
７…回路データファイル
１０…画像処理システム
１１…プリンタ
１２…画像処理回路
１４…プリンタ側のＣＰＵ
【図１】
0003707320.tif 000002
【図２】
0003707320.tif 000003
【図３】
0003707320.tif 000004
【図４】
0003707320.tif 000005
【図５】
0003707320.tif 000006
【図６】
0003707320.tif 000007
【図７】
0003707320.tif 000008